Podtech/llm-jp-corpus-v4-ja_patent huggingface dataset:
【手続補正書】
【提出日】平成28年12月16日(2016.12.16)
【手続補正１】
【補正対象書類名】特許請求の範囲
【補正対象項目名】全文
【補正方法】変更
【補正の内容】
【特許請求の範囲】
【請求項１】
患者に加湿ガスを供給する装置であって、
加湿ガス供給源と、
前記加湿ガス供給源の下流にあり、使用中の患者の上流にあるガス供給通路と、
前記通路の壁に埋め込まれ、前記通路の壁の表面にある溝であって前記通路を通って流れるガスの流路内に突出する溝内に配置される第１のセンサと、
前記第１のセンサに隣接する位置に提供される第２のセンサであって、該第２のセンサと前記ガス通路内を流れるガスとの間の通路の壁に配置される第２のセンサと、
前記第１のセンサ及び前記第２のセンサから出力を受信し、前記第１のセンサ及び前記第２のセンサの前記出力から、前記複数のセンサの前記出力に従って前記ガスの特性の推定を導出するように適合されるコントローラと、
を備える、装置。
【請求項２】
前記第１のセンサ及び前記第２のセンサを含む前記ガス通路の部分は、屈曲部として形成される、請求項１に記載の装置。
【請求項３】
前記第１のセンサ及び前記第２のセンサは、前記屈曲部の曲がり部分に配置されるか、又は曲がり部分に隣接して配置される、請求項２に記載の装置。
【請求項４】
前記溝は、前記管の直径の３０％以下の程度で、前記管を通って流れるガスの流路内に突出する、請求項１〜３のいずれか一項に記載の装置。
【請求項５】
前記ガスの特性は、湿度、露点温度、又は温度である、請求項１〜４のいずれか一項に記載の装置。
【請求項６】
前記ガス通路は１０ｍｍ〜３０ｍｍの直径を有する、請求項１〜５のいずれか一項に記載の装置。
【請求項７】
前記センサの直近の前記ガス通路の部分は、２５℃で１Ｗ／ｍＫ未満、最も好ましくは０．４ＷｍＫ未満の熱伝導性を有する材料から形成される、請求項１〜６のいずれか一項に記載の装置。
【請求項８】
前記センサの直近の前記管壁の部分は、ポリカーボネート又はポリプロピレン等のプラスチック材料から作られる、請求項１〜７のいずれか一項に記載の装置。
【請求項９】
前記センサはサーミスタである、請求項１〜８のいずれか一項に記載の装置。
【請求項１０】
各センサは、前記加湿ガス供給源に隣接する前記ガス通路の部分に配置される、前記請求項１〜９のいずれか一項に記載の装置。
【請求項１１】
前記コントローラは、前記センサの出力に基づくとともに、前記加湿ガス供給源の動作状況に基づいて、前記ガス流の前記物理的特性を推定する、請求項１〜１０のいずれか一項に記載の装置。
【請求項１２】
前記第１のセンサ及び／又は前記第２のセンサは、液体が前記ガス通路内に蓄積し得る位置に配置される、請求項１〜１１のいずれか一項に記載の装置。
【請求項１３】
前記加湿ガス供給源は、ヒータと、前記ヒータに隣接してある量の水を含むためのリザーバとを有する加湿器を含む、請求項１〜１２のいずれか一項に記載の装置。
【請求項１４】
前記加湿器は、ヒータ板を備え、前記リザーバは、使用中、前記ヒータ板に接触する取り外し可能容器を備える、請求項１３に記載の装置。
【請求項１５】
前記加湿ガス供給源はブロワを含み、前記ブロワの出力は前記加湿器の流入口に提供される、請求項１３又は１４に記載の装置。
【請求項１６】
前記ブロワ及び前記加湿器ヒータは、同じ筐体内に配置される、請求項１５に記載の装置。
【手続補正書】
【提出日】平成29年3月27日(2017.3.27)
【手続補正１】
【補正対象書類名】特許請求の範囲
【補正対象項目名】全文
【補正方法】変更
【補正の内容】
【特許請求の範囲】
【請求項１】
変動表示を行い、遊技者にとって有利な有利状態に制御可能な遊技機であって、
未だ開始されていない変動表示に関する情報を保留記憶として記憶する保留記憶手段と、
有利状態に制御するか否かを決定する決定手段と、
前記決定手段の決定前に有利状態に制御されるか否かを判定する判定手段と、
前記保留記憶手段に記憶された保留記憶に対応する保留表示を、少なくとも第１態様または第２態様にて表示可能な保留表示手段と、
前記保留表示手段に表示されている保留表示の表示態様を、前記判定手段による判定結果にもとづいて前記第１態様から前記第２態様に変化させる保留予告演出を実行可能な保留予告演出実行手段と、
前記保留表示手段に表示されている保留表示が前記第１態様であるときに、前記第１態様の保留表示よりも認識しやすい第１特定演出を、当該保留表示に対応する変動表示が開始されるまで実行可能な第１特定演出実行手段と、
前記保留表示手段に表示されている保留表示が前記第１態様から前記第２態様へ変化するときに、前記第１特定演出とは異なる第２特定演出を、当該保留表示に対応する変動表示が開始されるまで実行可能な第２特定演出実行手段と、
前記第１特定演出と前記第２特定演出とは異なる特別演出を実行可能な特別演出実行手段と、
を備え、
前記保留予告演出実行手段は、前記特別演出が実行されているときには前記保留予告演出を実行しない
ことを特徴とする遊技機。
【手続補正２】
【補正対象書類名】明細書
【補正対象項目名】０００６
【補正方法】変更
【補正の内容】
【０００６】
前記課題を解決するために、本発明の請求項１に記載の遊技機は、
変動表示（例えば、変動表示）を行い、遊技者にとって有利な有利状態（例えば、大当り遊技状態）に制御可能な遊技機（例えば、パチンコ遊技機１）であって、
未だ開始されていない変動表示に関する情報を保留記憶として記憶する保留記憶手段（例えば、図９（Ｂ）に示す始動入賞時受信コマンドバッファ）と、
有利状態に制御するか否かを決定する決定手段（例えば、ＣＰＵ１０３が、図１１に示す特別図柄プロセス処理のＳ１１０において特別図柄通常処理を実行する部分）と、
前記決定手段の決定前に有利状態に制御されるか否かを判定する判定手段（例えば、ＣＰＵ１０３が、図１３に示す入賞時乱数値判定処理を実行する部分）と、
前記保留記憶手段に記憶された保留記憶に対応する保留表示を、少なくとも第１態様（例えば、第１特別保留表示（四角（◇）））または第２態様（例えば、第２特別保留表示（星（☆）））にて表示可能な保留表示手段（例えば、ＣＰＵ１２０が、図２３（Ａ）に示す保留表示更新処理を実行して演出表示装置５に保留表示を表示する部分）と、
前記保留表示手段に表示されている保留表示の表示態様を、前記判定手段による判定結果にもとづいて前記第１態様から前記第２態様に変化させる保留予告演出を実行可能な保留予告演出実行手段（例えば、ＣＰＵ１２０が、図２４に示す演出図柄変動開始処理のＳ８４１において保留表示フラグを変更する部分）と、
前記保留表示手段に表示されている保留表示が前記第１態様であるときに、前記第１態様の保留表示よりも認識しやすい第１特定演出（例えば、複数の四角（◇）マークが直線状に繰返し連続した第１補助表示）を、当該保留表示に対応する変動表示が開始されるまで実行可能な第１特定演出実行手段（例えば、ＣＰＵ１２０が、図２４に示す演出図柄変動開始処理のＳ８３９において第１補助表示の表示を実行する部分）と、
前記保留表示手段に表示されている保留表示が前記第１態様から前記第２態様へ変化するときに、前記第１特定演出とは異なる第２特定演出（例えば、複数の星（☆）マークが枠状に繰返し連続した第２補助表示）を、当該保留表示に対応する変動表示が開始されるまで実行可能な第２特定演出実行手段（例えば、ＣＰＵ１２０が、図２４に示す演出図柄変動開始処理のＳ８４２において第２補助表示の表示を実行する部分）と、
前記第１特定演出と前記第２特定演出とは異なる特別演出を実行可能な特別演出実行手段と、
を備え、
前記保留予告演出実行手段は、前記特別演出が実行されているときには前記保留予告演出を実行しない
ことを特徴としている。
この特徴によれば、保留表示が第２態様に変化したことを認識しやすくなる。
本発明の手段１の遊技機は、請求項１に記載の遊技機であって、
前記保留予告演出実行手段による保留予告演出を実行するか否かを決定する保留予告決定手段（例えば、ＣＰＵ１２０が、図２１に示す先読み予告演出決定処理を実行する部分）を備え、
前記保留予告演出実行手段（例えば、ＣＰＵ１２０が、図２４に示す演出図柄変動開始処理のＳ８４１において保留表示フラグを変更する部分）は、前記保留予告決定手段の決定にもとづいて前記保留予告演出を実行し（例えば、ＣＰＵ１２０が、図２１に示す先読み予告演出決定処理のＳ９０６における先読み予告演出の実行の決定にもとづいて、保留変更演出を実行する部分）、
前記保留予告決定手段は、前記変動表示を行うための始動条件が成立したときに特定演出が実行されているときには、前記保留予告演出の実行を決定しない（例えば、ＣＰＵ１２０が、図２１に示す先読み予告演出決定処理のＳ９０２において大当り演出またはリーチ演出期間である場合には、保留変更演出の実行を決定しない部分）
ことを特徴としている。
この特徴によれば、特定の演出と保留予告演出とが始動条件の成立時に重複して実行されてしまうことを防ぐことができるので、遊技の興趣を向上できる。
【手続補正書】
【提出日】平成29年3月28日(2017.3.28)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
可変表示に関する情報を保留記憶情報として記憶可能な保留記憶手段と、
前記保留記憶手段に記憶されている前記保留記憶情報に応じた保留表示を表示する保留表示手段と、
前記有利状態とするか否かを決定する決定手段と、
前記決定手段による決定結果にもとづいて、可変表示の制御を行う可変表示制御手段と、
前記決定手段による決定前に、前記有利状態となるか否かを判定する判定手段と、
前記判定手段による判定結果にもとづいて、前記保留表示を通常態様とは異なる表示態様に変化させて表示することにより前記有利状態となる可能性を予告する予告演出を実行する予告演出実行手段と、
保留表示の表示態様が変化することを示唆する示唆演出を実行する示唆演出実行手段とを備え、
前記予告演出実行手段は、前記保留表示手段によって表示されている保留表示のうちに前記通常態様とは異なる表示態様で表示されている保留表示があるか否かに応じて、異なる割合で前記保留表示手段によって表示されている保留表示のうちのいずれかを前記通常態様とは異なる表示態様に変化させて表示する制御を実行可能であり、
前記示唆演出実行手段は、保留表示の表示態様が変化する可能性を異なる期待度で示唆する複数種類の示唆演出を実行可能であり、
発光手段と、
前記発光手段の発光量に関する設定をする設定手段とを備える、遊技機。
【手続補正２】
【補正対象書類名】明細書
【補正対象項目名】０００９
【補正方法】変更
【補正の内容】
【０００９】
（手段１）本発明による遊技機は、可変表示（例えば、第１特別図柄や第２特別図柄、演出図柄の変動表示）を行い、遊技者にとって有利な有利状態（例えば、大当り遊技状態）に制御可能な遊技機であって、可変表示に関する情報を保留記憶情報（例えば、第１保留記憶や第２保留記憶）として記憶可能な保留記憶手段（例えば、第１保留記憶バッファや第２保留記憶バッファ）と、保留記憶手段に記憶されている保留記憶情報に応じた保留表示を表示する保留表示手段（例えば、合算保留記憶表示部１８ｃ）と、有利状態とするか否かを決定する決定手段（例えば、遊技制御用マイクロコンピュータ５６０がステップＳ６１，Ｓ６２，Ｓ７３を実行する部分）と、決定手段による決定結果にもとづいて、可変表示の制御を行う可変表示制御手段（例えば、演出制御用マイクロコンピュータ１００がステップＳ１８１３，Ｓ１８４５を実行する部分）と、決定手段による決定前に、有利状態となるか否かを判定する判定手段（例えば、遊技制御用マイクロコンピュータ５６０がステップＳ１２１７，Ｓ１２２８を実行する部分）と、判定手段による判定結果にもとづいて、保留表示を通常態様とは異なる表示態様（例えば、特殊態様や第１特別態様、第２特別態様）に変化させて表示することにより有利状態となる可能性を予告する予告演出（例えば、先読み演出）を実行する予告演出実行手段（例えば、演出制御用マイクロコンピュータ１００が先読み演出決定処理（ステップＳ６７１）の決定結果にもとづいて、ステップＳ１８１３，Ｓ１８４５を実行する部分）と、保留表示の表示態様が変化することを示唆する示唆演出を実行する示唆演出実行手段（例えば、演出制御用マイクロコンピュータ１００が先読み演出決定処理（ステップＳ６７１，Ｓ６７１１０）の決定結果にもとづいて、ステップＳ１８１３，Ｓ１８４５を実行する部分）とを備え、予告演出実行手段は、保留表示手段によって表示されている保留表示のうちに通常態様とは異なる表示態様で表示されている保留表示があるか否か（例えば、保留表示変化中フラグがセットされているか否か）に応じて、異なる割合で保留表示手段によって表示されている保留表示のうちのいずれかを通常態様とは異なる表示態様に変化させて表示する（例えば、演出制御用マイクロコンピュータ１００が、保留表示変化中フラグがセットされているか否かにもとづいて、判定値が異なる割合で設定された先読み演出実行決定テーブルと、先読み演出パターン変化タイミング決定テーブルとを選択して用いて、先読み演出の実行の有無と実行する場合の変化タイミングとを決定する先読み演出決定処理（ステップＳ６７１，Ｓ６７１０４，Ｓ６７１０８）を実行する部分と、先読み演出決定処理の決定結果にもとづいて、ステップＳ１８１３，Ｓ１８４５を実行する部分。図３３，図３５〜図３８参照）制御を実行可能であり、示唆演出実行手段は、保留表示の表示態様が変化する可能性を異なる期待度で示唆する複数種類の示唆演出を実行可能であり、発光手段（天枠ＬＥＤ２８ａ、左枠ＬＥＤ２８ｂ、右枠ＬＥＤ２８ｃ、および、装飾ＬＥＤ２５等の各種発光手段）と、発光手段の発光量に関する設定をする設定手段（発光量設定部）とを備える。
【手続補正３】
【補正対象書類名】明細書
【補正対象項目名】００１０
【補正方法】変更
【補正の内容】
【００１０】
そのような構成により、予告演出が実行されるときの保留表示の表示態様にも関心を持たせることができ、予告演出の興趣を高めることができる。
【手続補正書】
【提出日】平成29年4月7日(2017.4.7)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
遊技者の操作を検出可能な操作検出手段と、
前記有利状態に制御するか否かを決定する決定手段と、
前記決定手段による決定に基づいて、可変表示が行われる可変表示期間を決定する可変表示期間決定手段と、
前記可変表示期間決定手段によって決定された可変表示期間が経過したときに可変表示の表示結果を導出表示する可変表示実行手段と、
可変表示中にリーチ演出を実行可能なリーチ演出実行手段と、
前記決定手段によって前記有利状態に制御すると決定された場合、可変表示の表示結果が導出表示された後に、制御される前記有利状態がいずれの種類であるかを示唆する示唆演出を実行可能な示唆演出実行手段と、
前記有利状態とは異なる遊技者にとって有利な特別状態に制御可能な特別状態制御手段とを備え、
前記有利状態は、遊技者にとって有利度合いが異なるように複数種類設けられ、
前記可変表示実行手段は、可変表示中に前記操作検出手段によって操作が検出されたことに基づいて、前記可変表示期間決定手段によって決定された可変表示期間の経過を待たずに可変表示の表示結果を導出表示可能な可変表示期間短縮手段を含み、
可変表示期間は、少なくとも、リーチ演出が実行される前の第１期間とリーチ演出が実行されている第２期間とを含み、
前記特別状態に制御されているか否かに応じて、示唆演出の実行割合が異なる
ことを特徴とする遊技機。
【手続補正２】
【補正対象書類名】明細書
【補正対象項目名】０００６
【補正方法】変更
【補正の内容】
【０００６】
そこで、本発明は、制御負担を増加させることなく可変表示期間を短縮する制御を行うことができ、かつ遊技興趣を向上させることができる遊技機を提供することを目的とする。
【手続補正３】
【補正対象書類名】明細書
【補正対象項目名】０００７
【補正方法】変更
【補正の内容】
【０００７】
（１）本発明による遊技機は、可変表示を行い、遊技者にとって有利な有利状態（例えば大当り遊技状態など）に制御可能な遊技機であって、遊技者の操作を検出可能な操作検出手段（例えば、プッシュセンサ３１Ｂ）と、有利状態に制御するか否かを決定する決定手段（例えばステップＳ１１０の特別図柄通常処理を実行するＣＰＵ１０３など）と、決定手段による決定に基づいて、可変表示が行われる可変表示期間を決定する可変表示期間決定手段（例えばステップＳ２７０の特別図柄通常処理を実行するＣＰＵ１０３など）と、可変表示期間決定手段によって決定された可変表示期間が経過したときに可変表示の表示結果を導出表示する可変表示実行手段（例えば、特図当り待ち処理のステップＳ５７０２を実行する演出制御用ＣＰＵ１２０）と、可変表示中にリーチ演出を実行可能なリーチ演出実行手段と、決定手段によって有利状態に制御すると決定された場合、可変表示の表示結果が導出表示された後に、制御される有利状態がいずれの種類であるかを示唆する示唆演出を実行可能な示唆演出実行手段（例えば、ステップＳ１７４の示唆演出処理を実行する演出制御用ＣＰＵ１２０など）と、有利状態とは異なる遊技者にとって有利な特別状態に制御可能な特別状態制御手段とを備え、有利状態は、遊技者にとって有利度合いが異なるように複数種類設けられ（例えば大当り遊技状態や小当り遊技状態など）、可変表示実行手段は、可変表示中に操作検出手段によって操作が検出されたことに基づいて、可変表示期間決定手段によって決定された可変表示期間の経過を待たずに可変表示の表示結果を導出表示可能な可変表示期間短縮手段（例えば、可変表示中演出処理のステップＳ５６１〜Ｓ５６２を実行する演出制御用ＣＰＵ１２０など）を含み、可変表示期間は、少なくとも、リーチ演出が実行される前の第１期間とリーチ演出が実行されている第２期間とを含み、特別状態に制御されているか否かに応じて、示唆演出の実行割合が異なることを特徴とする遊技機。
そのような構成によれば、制御負担を増加させることなく可変表示期間を短縮する制御を行うことができるとともに、遊技興趣向上させることができる。
【手続補正書】
【提出日】平成29年6月20日(2017.6.20)
【手続補正１】
【補正対象書類名】特許請求の範囲
【補正対象項目名】請求項９
【補正方法】変更
【補正の内容】
【請求項９】
前記フラボノイドが、ダイゼイン、ゲニステインの少なくとも一方であることを特徴とする請求項５に記載の食品の褐変化抑制剤。
【手続補正２】
【補正対象書類名】特許請求の範囲
【補正対象項目名】請求項１６
【補正方法】変更
【補正の内容】
【請求項１６】
前記フラボノイドが、ダイゼイン、ゲニステインの少なくとも一方であることを特徴とする請求項１２に記載の食品の褐変化抑制剤の製造方法。
【手続補正３】
【補正対象書類名】明細書
【補正対象項目名】００１５
【補正方法】変更
【補正の内容】
【００１５】
また、本発明において、前記フラボノイドが、ダイゼイン、ゲニステインの少なくとも一方である。
【手続補正４】
【補正対象書類名】明細書
【補正対象項目名】００２２
【補正方法】変更
【補正の内容】
【００２２】
また、本発明において、前記フラボノイドが、ダイゼイン、ゲニステインの少なくとも一方である。
【手続補正書】
【提出日】平成29年9月15日(2017.9.15)
【手続補正１】
【補正対象書類名】特許請求の範囲
【補正対象項目名】全文
【補正方法】変更
【補正の内容】
【特許請求の範囲】
【請求項１】
採取された血液検体を希釈液で希釈する工程と、
β−ガラクトシダーゼ及びβ−ガラクトシダーゼにより変換されうる基質のうちの少なくとも1種を含む溶液を用いて前記血液検体の希釈液中のナトリウムイオンを定量し、血液中に恒常的に存在する血清及び血漿ナトリウムイオンの標準値及びナトリウムイオンの定量値から、希釈倍率を決定する工程と、
決定された希釈倍率と、血液検体中の測定対象成分の濃度の測定値とから、血液検体中の前記測定対象成分の濃度を分析する工程と
を含む、血液分析方法であって、
前記希釈液がナトリウムイオンを含有しない希釈液であり、
前記血液検体の容量が５０μＬ以下であり、
前記血液検体中の血漿成分の希釈倍率が１４倍以上である、
血液分析方法。
【請求項２】
採取された血液検体を希釈液で希釈する工程の後に、希釈した血液検体から血漿成分含有試料を回収する工程を含む、請求項１に記載の血液分析方法。
【請求項３】
前記回収する工程が、分離膜を用いる工程である、請求項２に記載の血液分析方法。
【請求項４】
希釈した血液検体から血漿成分含有試料を回収する工程の後に、前記血漿成分含有試料を輸送する工程を含む、請求項２又は３に記載の血液分析方法。
【請求項５】
β−ガラクトシダーゼにより変換されうる基質が、２−ニトロフェニル−β−Ｄ−ガラクトシド、２−ニトロフェニル−β−Ｄ−ピラノグリコシド、及び２−ニトロフェニル−β−Ｄ−ガラクトピラノシドからなる群より選択される化合物である、請求項１から４の何れか一項に記載の血液分析方法。
【請求項６】
前記希釈液が、pH6.5〜pH8.0のpH域で緩衝作用を有する緩衝液である、請求項１から５の何れか一項に記載の血液分析方法。
【請求項７】
前記希釈液が、2-アミノ-2-メチル-1-プロパノール、2-エチルアミノエタノール、N-メチル-D-グルカミン、ジエタノールアミン、及びトリエタノールアミンからなる群から選択されるアミノアルコール化合物、並びにHEPESとも称する2- [4- (2-ヒドロキシエチル-1-ピペラジニル] エタンスルホン酸)、TESとも称するN-トリス(ヒドロキシメチル)メチル-2-アミノエタンスルホン酸、MOPSとも称する3-モルホリノプロパンスルホン酸、及びBESとも称する（N,N-ビス(2-ヒドロキシエチル)-2-アミノエタンスルホン酸からなる群から選択される緩衝剤を含む希釈液である、請求項１から６の何れか一項に記載の血液分析方法。
【請求項８】
血液検体を希釈するための希釈液であってナトリウムイオンを含有しない希釈液と、β−ガラクトシダーゼ及びβ−ガラクトシダーゼにより変換されうる基質のうちの少なくとも1種を含む溶液と、希釈された血液検体を収容するための容器とを含む、請求項１から７の何れか一項に記載の血液分析方法において使用するための血液検査キット。
【手続補正書】
【提出日】平成29年10月27日(2017.10.27)
【手続補正１】
【補正対象書類名】特許請求の範囲
【補正対象項目名】全文
【補正方法】変更
【補正の内容】
【特許請求の範囲】
【請求項１】
大豆粉末及び食用油脂を含み、前記食用油脂は、構成脂肪酸が炭素数８及び／又は１０の中鎖脂肪酸のみからなるトリグリセリドを前記食用油脂の質量に対し５０質量％以上含み、前記食用油脂が、ココナッツオイルではないことを特徴とする、大豆臭が抑制された食品。
【請求項２】
前記トリグリセリドの構成脂肪酸が、炭素数８のｎ−オクタン酸及び炭素数１０のｎ−デカン酸であり、前記トリグリセリドの構成脂肪酸の質量比が、ｎ−オクタン酸：ｎ−デカン酸＝３０：７０〜７５：２５である、請求項１に記載の食品。
【請求項３】
卵、乳、小麦、そば、落花生、えび又はかにに由来するアレルゲン物質の少なくとも１つを含有しない、請求項１又は２に記載の食品。
【請求項４】
前記大豆粉末の含有量が前記食品の全質量に対して０．２〜３５質量％であり、前記食用油脂の含有量が前記食品の全質量に対して０．５〜４０質量％である、請求項１〜３のいずれか１項に記載の食品。
【請求項５】
前記食品がゲル状食品であり、前記大豆粉末の含有量が前記食品の全質量に対して４〜１３質量％であり、前記食用油脂の含有量が前記食品の全質量に対して３〜４０質量％である、請求項１〜４のいずれか１項に記載の食品。
【請求項６】
前記食品が液状食品であり、前記大豆粉末の含有量が前記食品の全質量に対して３〜３０質量％であり、前記食用油脂の含有量が前記食品の全質量に対して５〜２０質量％である、請求項１〜４のいずれか１項に記載の食品。
【請求項７】
前記食品が冷菓であり、前記大豆粉末の含有量が前記食品の全質量に対して０．２〜１７質量％であり、前記食用油脂の含有量が前記食品の全質量に対して０．５〜２８質量％である、請求項１〜４のいずれか１項に記載の食品。
【請求項８】
前記食品がソフトキャンディーであり、前記大豆粉末の含有量が前記食品の全質量に対して１〜３５質量％であり、前記食用油脂の含有量が前記食品の全質量に対して１〜４０質量％である、請求項１〜４のいずれか１項に記載の食品。
【請求項９】
前記食品がチーズ様食品であり、さらに有機酸を含み、かつ、前記大豆粉末及び前記食用油脂の合計含有量が前記食品の全質量に対して１５〜５０質量％であり、前記大豆粉末と前記食用油脂の質量比が７：１〜１：７である、請求項１〜４のいずれか１項に記載の食品。
【請求項１０】
大豆粉末と食用油脂とを混合する工程、ここで前記食用油脂は、構成脂肪酸が炭素数８及び／又は１０の中鎖脂肪酸のみからなるトリグリセリドを、前記食用油脂の質量に対し５０質量％以上含み、前記食用油脂は、ココナッツオイルではない；及び
前記混合物を加熱処理する工程；
を含む、大豆粉末及び食用油脂を含有する、大豆臭が抑制された食品の製造方法。
【請求項１１】
前記トリグリセリドの構成脂肪酸が、炭素数８のｎ−オクタン酸及び炭素数１０のｎ−デカン酸であり、前記トリグリセリドの構成脂肪酸の質量比が、ｎ−オクタン酸：ｎ−デカン酸＝３０：７０〜７５：２５である、請求項１０に記載の食品の製造方法。
【請求項１２】
卵、乳、小麦、そば、落花生、えび又はかにに由来するアレルゲン物質の少なくとも１つを含有しない、請求項１０又は１１に記載の食品の製造方法。
【請求項１３】
前記食品が、ゲル状食品、液状食品、冷菓、ソフトキャンディー及びチーズ様食品からなる群から選ばれるいずれか１つである、請求項１０又は１１に記載の食品の製造方法。
【請求項１４】
大豆粉末及び食用油脂を含有する食品の大豆粉末由来の風味を改善する方法であって、前記大豆粉末と前記食用油脂とを混合する工程、ここで前記食用油脂は、構成脂肪酸が炭素数８及び／又は１０の中鎖脂肪酸のみからなるトリグリセリドを、前記食用油脂の質量に対し５０質量％以上含み、前記食用油脂は、ココナッツオイルではない；及び
前記混合物を加熱処理する工程；
を含む、方法。
【請求項１５】
食用油脂を含む、大豆粉末に由来する大豆臭の抑制剤であって、前記食用油脂は、構成脂肪酸が炭素数８及び／又は１０の中鎖脂肪酸のみからなるトリグリセリドを前記食用油脂の質量に対し５０質量％以上含み、前記食用油脂が、ココナッツオイルではないことを特徴とする、大豆粉末に由来する大豆臭の抑制剤。
【手続補正書】
【提出日】平成29年6月23日(2017.6.23)
【手続補正１】
【補正対象書類名】特許請求の範囲
【補正対象項目名】全文
【補正方法】変更
【補正の内容】
【特許請求の範囲】
【請求項１】
複数のアームが関節によって接続された多関節アーム（３４）を有した多関節ロボット（３２）と、
医療行為を受ける患者の部位の位置を表す施術位置を特定する位置特定手段（５０，Ｓ１３０，Ｓ２１０）と、
前記医療行為を実施する際の前記多関節アームの先端部分が移動可能な領域である移動可能領域の外側に前記多関節アームの先端部分が移動することを禁止する領域を表す可動禁止領域を、前記位置特定手段で特定した前記施術位置を基点として設定する領域設定手段（５０，Ｓ１５０）と、
前記多関節アームの先端部分の位置を表す先端位置を特定する先端位置特定手段（５０，Ｓ１９０）と、
前記先端位置特定手段で特定した先端位置が、前記領域設定手段で設定された前記可動禁止領域へと移動すると、前記医療行為の安全性を向上させる安全制御を実行する制御手段（５０，Ｓ２３０，Ｓ２９０）と、
前記施術位置を時間軸に沿って順次特定する位置追跡手段（５０，Ｓ２１０）と、
前記位置追跡手段で特定した前記施術位置の推移に従って、前記領域設定手段で設定された可動禁止領域を更新する領域追尾手段（５０，Ｓ２２０）と
を備える、医療行為支援装置（１）。
【請求項２】
前記領域設定手段で設定された前記可動禁止領域の変更を受け付ける受付手段（５０，Ｓ１７０）と、
前記受付手段で受け付けた前記可動禁止領域の変更に従って、前記領域設定手段で設定した可動禁止領域を更新する更新手段（５０，Ｓ１８０）と
を備え、
前記領域設定手段は、
前記更新手段によって更新された前記可動禁止領域を、新たな可動禁止領域として設定する、請求項１に記載の医療行為支援装置。
【請求項３】
前記領域設定手段で設定された前記可動禁止領域を報知する第１報知手段（５０，Ｓ１６０）
を備える、請求項１に記載の医療行為支援装置。
【請求項４】
前記第１報知手段は、
前記可動禁止領域を表示することを、前記報知として実行する、請求項３に記載の医療行為支援装置。
【請求項５】
前記先端位置特定手段で特定した先端位置と、前記移動可能領域と前記可動禁止領域との境界である領域境界との位置関係が、前記先端位置が前記領域境界に近づいていることを表す条件として予め規定された規定条件を満たすと、前記先端位置が前記領域境界に近づいている旨を報知する報知制御を実行する第２報知手段（５０，Ｓ２４０，Ｓ２５０，Ｓ２８０）
を備える、請求項１から請求項４までのいずれか一項に記載の医療行為支援装置。
【請求項６】
前記第２報知手段は、
前記先端位置が前記領域境界に近いほど、前記多関節アームの動作抵抗を大きくすることを、前記報知制御として実行する、請求項５に記載の医療行為支援装置。
【請求項７】
前記制御手段は、
前記先端位置が前記可動禁止領域内に存在することを報知することを、前記安全制御として実行する、請求項１から請求項６までのいずれか一項に記載の医療行為支援装置。
【請求項８】
前記制御手段は、
前記多関節アームの先端部分の移動を停止することを、前記安全制御として実行する、請求項１から請求項７までのいずれか一項に記載の医療行為支援装置。
【手続補正書】
【提出日】平成28年11月24日(2016.11.24)
【手続補正１】
【補正対象書類名】特許請求の範囲
【補正対象項目名】全文
【補正方法】変更
【補正の内容】
【特許請求の範囲】
【請求項１】
遊技媒体を用いて遊技を行う遊技機であって、
当該遊技機の前面側を構成する前面部材を備え、
前記前面部材は、
遊技領域に対応する位置に設けられる窓部と、
前記窓部の周囲のうちの少なくとも一部に設けられる周辺装飾手段と、を備えており、
前記周辺装飾手段は、
所定の通常姿勢と、該通常姿勢よりも前傾する前傾姿勢とに変化し得る可動部と、
前記可動部に設けられ、遊技者により操作可能な操作部と、を有することを特徴とする遊技機。
【手続補正２】
【補正対象書類名】明細書
【補正対象項目名】０００５
【補正方法】変更
【補正の内容】
【０００５】
本発明は、上記に鑑みなされたもので、その目的は前面部材で新たな遊技用の演出が行えるようにすることにある。
【手続補正３】
【補正対象書類名】明細書
【補正対象項目名】０００６
【補正方法】変更
【補正の内容】
【０００６】
上記の目的を達成するため本発明は、
遊技媒体を用いて遊技を行う遊技機であって、
当該遊技機の前面側を構成する前面部材を備え、
前記前面部材は、
遊技領域に対応する位置に設けられる窓部と、
前記窓部の周囲のうちの少なくとも一部に設けられる周辺装飾手段と、を備えており、
前記周辺装飾手段は、
所定の通常姿勢と、該通常姿勢よりも前傾する前傾姿勢とに変化し得る可動部と、
前記可動部に設けられ、遊技者により操作可能な操作部と、を有することを特徴とする。
また、本発明とは別の発明として、以下の遊技機を参考的に開示する。
前面側を構成する前面部材を備え、遊技媒体を用いて遊技を行う遊技機であって、
前記前面部材は、
遊技領域に対応する位置に設けられる窓部と、
前記窓部の少なくとも上方及び側方を装飾する周辺装飾部と、を備えており、
前記周辺装飾部は、前記窓部より外側の所定位置に揺動中心部を有しており、該揺動中心部を軸にして、略垂直に起立する起立姿勢と、前記起立姿勢に比べて遊技者側に向けて前傾する傾倒姿勢と、に変化し得る遊技機。
【手続補正４】
【補正対象書類名】明細書
【補正対象項目名】０００７
【補正方法】変更
【補正の内容】
【０００７】
斯かる遊技機によれば、周辺装飾手段の可動部の姿勢を、遊技の進行状況に応じて、所定の通常姿勢と、該通常姿勢よりも前傾する前傾姿勢とに変化させることで、従来にない意外性や驚きを遊技者に与えて遊技興趣を向上させることができる。
【手続補正５】
【補正対象書類名】明細書
【補正対象項目名】０００８
【補正方法】変更
【補正の内容】
【０００８】
本発明の遊技機によれば、前面部材で新たな遊技用の演出が行える効果がある。
【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
変動表示を行ない、遊技者にとって有利な有利状態に制御可能な遊技機であって、
変動表示の実行中に、当該変動表示に対応する特定表示を表示可能な特定表示手段と、
変動表示の実行中に、共通演出を実行し、当該共通演出を実行した後に前記特定表示の表示態様を変化させる変化演出及び前記特定表示の表示態様を変化させない示唆演出のいずれか一方を実行可能な演出実行手段とを備え、
前記特定表示の表示態様には、当該特定表示の色彩に関する態様と当該特定表示に付加される付加表示に関する態様とが含まれ、
前記色彩に関する態様と前記付加表示に関する態様との組合せにより、前記有利状態に制御される割合が異なり、
前記色彩に関する態様が所定の出現率よりも出現率の低い態様のときには、前記付加表示に関する態様として特定態様が表示され、
変動表示の実行中における複数タイミングのうち、いずれのタイミングで前記共通演出を実行するかに応じて、前記変化演出を実行する割合が異なる、遊技機。
【請求項２】
変動表示を行ない、遊技者にとって有利な有利状態に制御可能な遊技機であって、
変動表示に関する情報について保留情報として記憶する保留記憶手段と、
前記保留記憶手段に記憶された保留情報に対応する保留表示を表示可能な保留表示手段と、
変動表示の実行中に、共通演出を実行し、当該共通演出を実行した後に前記保留表示の表示態様を変化させる変化演出及び前記保留表示の表示態様を変化させない示唆演出のいずれか一方を実行可能な演出実行手段とを備え、
前記保留表示の表示態様には、当該保留表示の色彩に関する態様と当該保留表示に付加される付加表示に関する態様とが含まれ、
前記色彩に関する態様と前記付加表示に関する態様との組合せにより、前記有利状態に制御される割合が異なり、
前記色彩に関する態様が所定の出現率よりも出現率の低い態様のときには、前記付加表示に関する態様として特定態様が表示され、
変動表示の実行中における複数タイミングのうち、いずれのタイミングで前記共通演出を実行するかに応じて、前記変化演出を実行する割合が異なる、遊技機。
【手続補正２】
【補正対象書類名】明細書
【補正対象項目名】０００７
【補正方法】変更
【補正の内容】
【０００７】
（１）  変動表示（特図の可変表示、飾り図柄の可変表示、特図及び飾り図柄の可変表示等）を行ない、遊技者にとって有利な有利状態（大当り遊技状態等）に制御可能な遊技機（遊技機１等）であって、
変動表示の実行中に、当該変動表示に対応する特定表示（アクティブ表示等）を表示可能な特定表示手段（演出制御用ＣＰＵ１２０等）と、
変動表示の実行中に、共通演出（第１系統変化演出において、図形群Ｙ１がアクティブ表示に衝突する前までの演出や、第２系統変化演出において、矢Ｙ２がアクティブ表示を囲うアクティブ表示枠に衝突するまでの演出等）を実行し、当該共通演出を実行した後に前記特定表示の表示態様を変化させる変化演出（第１系統変化演出において、アクティブ表示に図形群Ｙ１のいずれかの形状「星」の図形が衝突して星の表示態様に変化する演出や、第２系統変化演出において、アクティブ表示枠に矢Ｙ２が衝突してアクティブ表示枠の線の太さが変化する演出や、これらの第１系統変化演出と第２系統変化演出とを両方実行してアクティブ表示やアクティブ表示枠などの表示態様を変化させる演出、アクティブ表示の色を変化させる演出等）及び前記特定表示の表示態様を変化させない示唆演出（第１系統変化演出において、アクティブ表示に図形群Ｙ１のいずれかの形状「星」の図形が衝突する前に消滅してアクティブ表示の表示態様が変化させない演出や、第２系統変化演出において、アクティブ表示枠に矢Ｙ２が衝突する前に矢Ｙ２が消滅して、アクティブ表示枠の線の太さが変化させない演出や、これらの第１系統変化演出と第２系統変化演出とを両方実行してアクティブ表示またはアクティブ表示枠の一方または両方の表示態様を変化させない演出等）のいずれか一方を実行可能な演出実行手段（演出制御用ＣＰＵ１２０等）とを備え、
前記特定表示の表示態様には、当該特定表示の色彩に関する態様（色に関する態様等）と当該特定表示に付加される付加表示に関する態様（オーラの大きさに関する態様等）とが含まれ、
前記色彩に関する態様と前記付加表示に関する態様との組合せにより、前記有利状態に制御される割合が異なり（色とオーラの大きさとの組合せにより大当り期待度が異なる等）、
前記色彩に関する態様が所定の出現率よりも出現率の低い態様（大当り期待度の高い赤色等）のときには、前記付加表示に関する態様として特定態様が表示され（大オーラのみが表示される等）、
変動表示の実行中における複数タイミングのうち、いずれのタイミングで前記共通演出を実行するかに応じて、前記変化演出を実行する割合が異なる（図２８に示すように実行タイミングにより成功期待度が異なる等）。
【手続補正３】
【補正対象書類名】明細書
【補正対象項目名】０００９
【補正方法】変更
【補正の内容】
【０００９】
（２）  変動表示（特図の可変表示、飾り図柄の可変表示、特図及び飾り図柄の可変表示等）を行ない、遊技者にとって有利な有利状態（大当り遊技状態等）に制御可能な遊技機（遊技機１等）であって、
変動表示に関する情報について保留情報として記憶する保留記憶手段（第１特図保留記憶部１５１Ａ、第２特図保留記憶部１５１Ｂ、第１始動入賞時受信コマンドバッファ１９４Ａ、第２始動入賞時受信コマンドバッファ１９４Ｂ等）と、
前記保留記憶手段に記憶された保留情報に対応する保留表示を表示可能な保留表示手段（ステップＳ１６２の第１保留追加処理において第１始動入賞記憶表示エリア５ＨＬに保留表示を追加する処理や、ステップＳ１６５の第２保留追加処理において第２始動入賞記憶表示エリア５ＨＲに保留表示を追加する処理等）と、
変動表示の実行中に、共通演出（保留表示を変化させるまでの演出等）を実行し、当該共通演出を実行した後に前記保留表示の表示態様を変化させる変化演出（保留表示の色を変化させる演出等）及び前記保留表示の表示態様を変化させない示唆演出（保留表示を変化させない演出等）のいずれか一方を実行可能な演出実行手段（演出制御用ＣＰＵ１２０等）とを備え、
前記保留表示の表示態様には、当該保留表示の色彩に関する態様（色に関する態様等）と当該保留表示に付加される付加表示に関する態様（オーラの大きさに関する態様等）とが含まれ、
前記色彩に関する態様と前記付加表示に関する態様との組合せにより、前記有利状態に制御される割合が異なり（色とオーラの大きさとの組合せにより大当り期待度が異なる等）、
前記色彩に関する態様が所定の出現率よりも出現率の低い態様（大当り期待度の高い赤色等）のときには、前記付加表示に関する態様として特定態様が表示され（大オーラのみが表示される等）、
変動表示の実行中における複数タイミングのうち、いずれのタイミングで前記共通演出を実行するかに応じて、前記変化演出を実行する割合が異なる（図２８に示すように実行タイミングにより成功期待度が異なる等）。
【手続補正書】
【提出日】平成29年3月8日(2017.3.8)
【手続補正１】
【補正対象書類名】特許請求の範囲
【補正対象項目名】全文
【補正方法】変更
【補正の内容】
【特許請求の範囲】
【請求項１】
ステントの配置を計画する方法であって、
プロセッサと電気的に通信するメモリに、血管の長さＬ分の血管内画像データを記録するステップと、
前記長さＬに沿った前記血管の複数の断面における直径を決定するステップと、
ユーザーインターフェース入力を介して、ユーザにより選択されたステント長を受け取るステップと、
ステント表現を含むステント付き内腔プロファイルを合成するステップであって、前記ステント表現の長さは、前記ユーザにより選択されたステント長であり、前記ステント表現は、第１の直径と前記長さＬに沿った第１の縦方向位置を含む、ステップと、
前記ユーザにより選択されたステント長と、前記第１の直径と、前記第１の縦方向位置とに基づいて、初期のパラメータ値を算定するステップと、
前記第１の直径と前記第１の縦方向位置を繰り返し調整し、その後に１つ以上のパラメータ値を算定するステップであって、前記１つ以上のパラメータ値が前記第１の直径と前記第１の縦方向位置を調整することに応じて算定される、ステップと、
算定された前記１つ以上のパラメータ値を最小化する前記ステント表現における最適なステントの直径及び最適なステントの縦方向位置を決定するステップと、
を含む方法。
【請求項２】
前記初期のパラメータ値と、前記１つ以上のパラメータ値は、血管抵抗比の値である、
請求項１に記載の方法。
【請求項３】
前記第１の直径と前記第１の縦方向位置を繰り返し調整することは、最小の血管抵抗比の値が決定されるまで行われる、
請求項２に記載の方法。
【請求項４】
前記初期のパラメータ値と、前記１つ以上のパラメータ値は、ステント不完全密着距離である、
請求項１に記載の方法。
【請求項５】
前記１つ以上のステント不完全密着距離を、前記ステント不完全密着距離の値が最大許容距離Ｅｍａｘより下になるように、制限するステップを含む、
請求項４に記載の方法。
【請求項６】
前記ユーザにより選択されたステント長を有する最適なステント表現と、最適なステントの直径と、最適なステントの縦方向位置とを表示するステップを含む、
請求項１に記載の方法。
【請求項７】
血管の内腔を前記長さＬに沿ってセグメント化し、前記直径の値及び又は前記長さＬに沿った各断面の領域値のアレイを生成するステップを含む、
請求項１に記載の方法。
【請求項８】
前記ステント付き内腔プロファイルに対して、前記直径の値及び又は前記長さＬに沿った各断面の領域値のアレイを生成するステップを含む、
請求項１に記載の方法。
【請求項９】
ステント直径及びステント位置のセットを離散値に限定するステップを含む、
請求項１に記載の方法。
【請求項１０】
前記ステント表現に対する予測された血管抵抗比を表示するステップを含む、
請求項３に記載の方法。
【請求項１１】
ステントの配置を計画する装置であって、
１つ以上の電子メモリ記憶装置と、
前記１つ以上の電子メモリ記憶装置に記憶された血管の長さＬ分の血管内画像データにアクセスするプロセッサとを備え、
前記プロセッサが、
前記長さＬに沿った前記血管の複数の断面における直径を決定するステップと、
ユーザーインターフェース入力を介して、ユーザにより選択されたステント長を受け取るステップと、
ステント表現を含むステント付き内腔プロファイルを合成するステップであって、前記ステント表現の長さは、前記ユーザにより選択されたステント長であり、前記ステント表現は、第１の直径と前記長さＬに沿った第１の縦方向位置を含む、ステップと、
前記ユーザにより選択されたステント長と、前記第１の直径と、前記第１の縦方向位置とに基づいて、初期のパラメータ値を算定するステップと、
前記第１の直径と前記第１の縦方向位置を繰り返し調整し、その後に１つ以上のパラメータ値を算定するステップであって、前記１つ以上のパラメータ値が前記第１の直径と前記第１の縦方向位置を調整することに応じて算定される、ステップと、
算定された前記１つ以上のパラメータ値を最小化する前記ステント表現における最適なステントの直径及び最適なステントの縦方向位置を決定するステップと、
を含むプログラムを実行する、
を含む装置。
【請求項１２】
前記初期のパラメータ値と、前記１つ以上のパラメータ値は、血管抵抗比の値である、
請求項１１に記載の装置。
【請求項１３】
前記第１の直径と前記第１の縦方向位置を繰り返し調整することは、最小の血管抵抗比の値が決定されるまで行われる、
請求項１２に記載の装置。
【請求項１４】
前記初期のパラメータ値と、前記１つ以上のパラメータ値は、ステント不完全密着距離である、
請求項１１に記載の装置。
【請求項１５】
前記１つ以上のステント不完全密着距離を、前記ステント不完全密着距離の値が最大許容距離Ｅｍａｘより下になるように、制限するステップを含む、
請求項１４に記載の装置。
【請求項１６】
前記ユーザにより選択されたステント長を有する最適なステント表現と、最適なステントの直径と、最適なステントの縦方向位置とを表示するステップを含む、
請求項１１に記載の装置。
【請求項１７】
血管の内腔を前記長さＬに沿ってセグメント化し、前記直径の値及び又は前記長さＬに沿った各断面の領域値のアレイを生成するステップを含む、
請求項１１に記載の装置。
【請求項１８】
前記ステント付き内腔プロファイルに対して、前記直径の値及び又は前記長さＬに沿った各断面の領域値のアレイを生成するステップを含む、
請求項１１に記載の装置。
【請求項１９】
ステント直径及びステント位置のセットを離散値に限定するステップを含む、
請求項１１に記載の装置。
【請求項２０】
前記ステント表現に対する予測された血管抵抗比を表示するステップを含む、
請求項１３に記載の装置。
【請求項２１】
前記プロセッサと電子的に通信可能なディスプレイであって、前記プログラムの１つ以上の結果を表示可能に構成されたディスプレイを含む、
請求項１１に記載の装置。
【手続補正書】
【提出日】平成29年2月20日(2017.2.20)
【手続補正１】
【補正対象書類名】特許請求の範囲
【補正対象項目名】全文
【補正方法】変更
【補正の内容】
【特許請求の範囲】
【請求項１】
ｉ）少なくとも１つの層を具備するコアと、
ｉｉ）熱可塑性材料を有する内側カバー層であって、上記コアの回りに配され、１５から６０の範囲のショアＤ中間点硬度を有し、上記熱可塑性材料が、
ａ）熱可塑性非酸ポリマーと、
ｂ）可塑剤とを有する上記内側カバー層と、
ｉｉｉ）上記内側カバー層の回りに配され、４５から７５の範囲のショアＤ表面硬度を有する外側カバー層とを有し、上記外側カバー層の上記硬度が上記内側カバー層の上記硬度より大きいことを特徴とするゴルフボール。
【請求項２】
ｉ）少なくとも１つの層を具備するコアと、
ｉｉ）熱可塑性材料を有する内側カバー層であって、上記コアの回りに配され、５５から７５の範囲のショアＤ中間点硬度を有し、上記熱可塑性材料が、
ａ）熱可塑性非酸ポリマーと、
ｂ）可塑剤とを有する上記内側カバー層と、
ｉｉｉ）上記内側カバー層の回りに配され、４５から７５の範囲のショアＤ表面硬度を有する外側カバー層とを有し、上記外側カバー層の上記硬度が上記内側カバー層の上記硬度より大きいことを特徴とするゴルフボール。
【請求項３】
上記可塑剤は、メチルオレエート、エチルオレエート、プロピルオレエート、ブチルオレエート、およびオクチルオレエート、ならびにこれらの混合物からなるグループから選択されるアルキルオレエートである請求項１または２のいずれかに記載のゴルフボール。
【手続補正２】
【補正対象書類名】明細書
【補正対象項目名】０１１７
【補正方法】変更
【補正の内容】
【０１１７】
ここに記述され図説された組成物、および、ゴルフボール製品は、単に、この発明のいくつかの実施例を表すだけであることに留意されたい。当該組成物および製品について種々の変更や付加を、この発明の趣旨および範囲から逸脱することなく、行えることは当業者が理解するところである。そのような実施例のすべては添付の特許請求の範囲によりカバーされることを理解されたい。
以下、ここで説明した技術的特徴を列挙する。
［技術的特徴１］
ｉ）少なくとも１つの層を具備するコアと、
ｉｉ）熱可塑性材料を有する内側カバー層であって、上記コアの回りに配され、約１５から約６０の範囲のショアＤ中間点硬度を有し、上記熱可塑性材料が、
ａ）熱可塑性非酸ポリマーと、
ｂ）可塑剤とを有する上記内側カバー層と、
ｉｉｉ）上記内側カバー層の回りに配され、約４５から約７５の範囲のショアＤ表面硬度を有する外側カバー層とを有し、上記外側カバー層の上記硬度が上記内側カバー層の上記硬度より大きいことを特徴とするゴルフボール。
［技術的特徴２］
上記内側カバー層は約２５から約５８の範囲のショアＤ中間点硬度を有し、上記外側カバー層は約４８から約７１の範囲のショアＤ表面硬度を有し、上記外側カバー層の上記硬度が上記内側カバー層の上記硬度より大きい技術的特徴１記載のゴルフボール。
［技術的特徴３］
上記非酸ポリマーは、フルオロポリマー、ポリスチレン、ポリオレフィン、ポリアミド、ポリエステル、ポリエーテル、ポリウレタン、ポリビニルクロライド、ポリビニルアセテート、ポリイミド、エチレンポロピレンゴム、エチレンプロピレンジエンゴム、スチレンブロックコポリマーゴム、アルキルアクリレートゴム、およびこれらの混合物からなるグループから選択される技術的特徴１記載のゴルフボール。
［技術的特徴４］
上記非酸ポリマーは、ポリアミド６；ポリアミド６，６；ポリアミド６，１２；ポリアミド１１；ポリアミド１２；ポリアミド６，９；ポリアミド４，６；およびこれらのコポリマーおよびブレンドからなるグループから選択される技術的特徴１記載のゴルフボール。
［技術的特徴５］
上記非酸ポリマーは、ポリエーテル−アミドブロックコポリマーおよびポリエーテル−ポリエーテルブロックコポリマー、およびこれらの混合物からなるグループから選択される技術的特徴１記載のゴルフボール。
［技術的特徴６］
上記熱可塑性材料は、重量で約３から約５０％の可塑剤を有する技術的特徴１記載のゴルフボール。
［技術的特徴７］
上記可塑剤は脂肪酸エステルである技術的特徴６記載のゴルフボール。
［技術的特徴８］
上記可塑剤は、メチルオレエート、エチルオレエート、プロピルオレエート、ブチルオレエート、およびオクチルオレエート、ならびにこれらの混合物からなるグループから選択されるアルキルオレエートである技術的特徴６記載のゴルフボール。
［技術的特徴９］
上記ボールは約２５から約５５の範囲の圧縮を有する技術的特徴１記載のゴルフボール。
［技術的特徴１０］
ｉ）少なくとも１つの層を具備するコアと、
ｉｉ）熱可塑性材料を有する内側カバー層であって、上記コアの回りに配され、約５５から約７５の範囲のショアＤ中間点硬度を有し、上記熱可塑性材料が、
ａ）熱可塑性非酸ポリマーと、
ｂ）可塑剤とを有する上記内側カバー層と、
ｉｉｉ）上記内側カバー層の回りに配され、約４５から約７５の範囲のショアＤ表面硬度を有する外側カバー層とを有し、上記外側カバー層の上記硬度が上記内側カバー層の上記硬度より大きいことを特徴とするゴルフボール。
［技術的特徴１１］
上記熱可塑性材料は、重量で約３から約５０％の可塑剤を有する技術的特徴１０記載のゴルフボール。
［技術的特徴１２］
上記可塑剤は脂肪酸エステルである技術的特徴１１記載のゴルフボール。
［技術的特徴１３］
上記可塑剤は、メチルオレエート、エチルオレエート、プロピルオレエート、ブチルオレエート、およびオクチルオレエート、ならびにこれらの混合物からなるグループから選択されるアルキルオレエートである技術的特徴１２記載のゴルフボール。
［技術的特徴１４］
上記ボールは約２５から約５５の範囲の圧縮を有する技術的特徴１０記載のゴルフボール。